(57)【要約】      （修正有）【課題】支柱部分の周りに螺子部材などが突出しないようにして、支柱周りのデザイン性を向上でき、また支柱に損傷を与えることなくその支柱の昇降位置を確実に保持可能にする展示装置を提供する。【解決手段】支持筒５内に昇降柱１３を昇降させた後保持／解除筒１１を閉めこむことにより、開閉部材に対し昇降柱１３を所定位置で挟圧保持させるとともに、ばね受け用螺条部に対するばね収納筒１６の螺合量を調整することにより、抜け止め突起およびスライドリングのボール部材１９に対する摩擦抵抗を調整して、展示台支持部材を所定の角度で保持させる。【選択図】図１
0003161736.tif 000002
【実用新案登録請求の範囲】
【請求項１】
基台上に設立され、基部を除いて円周方向の複数箇所に長切欠が縦方向に設けられることで拡径／縮径自在となる複数本の開閉部材を有し、かつ内外径が変化しない前記基部から上方に向って徐々に径大となる第１の傾斜部と、この第１の傾斜部に続く最大径部を頂部として上端に向って徐々に径小となる第２傾斜部とを有し、前記基部と前記第１の傾斜部とが連続する部位付近の外周に上下方向の所定幅に亘って螺条が設けられた支持筒と、
前記支持筒の前記螺条に螺合される螺条を内周面に有し、かつこの螺条に続いて、上方に向って徐々に径大となる第３の傾斜部と、この第３の傾斜部の上方に続いて内径が変化しない垂直面部と、この垂直面部に続いて上端に向って内径が径小となる第４の傾斜部とを有し、前記両螺条の螺合量に応じて前記開閉部材の第２傾斜部の外周面に対し前記第４の傾斜部を内径方向に抑圧および外径方向に抑圧解除させることによって前記支持筒内に挿通された昇降柱の外周を前記開閉部材によって挟圧保持させる保持／解除筒と、
前記昇降柱の上端に螺合される取付螺条部を下端に有し、コイルばねの反力を調節するばね受用螺条部を一端に有するネジ部材と、
前記ばね受け用螺条部とこのばね受け用螺条部の外周に下端部が螺合されたばね収納筒と、
該ばね収容筒の上端部内周に突設された抜け止め突起と、
前記ばね収納部材内に摺動可能に収納されて、前記抜け止め突起との間にボール部材を前記ばね反力に応じた摩擦力でコイルばねを支持するスライドリングと、
前記ボール部材の上端に連設されたネジ軸と、
該ネジ軸に下端部が螺合された展示台支持部材と、
を備え、
前記支持筒内に昇降柱を昇降させた後昇降柱保持／解除筒を締め込むことにより、前記開閉部材に対し前記昇降柱を所定位置で挟圧保持させるとともに、
前記ばね受け用螺条部に対する前記ばね収納筒部材の螺合量を調整することにより、前記抜け止め突起およびスライドリングの前記ボール部材に対する摩擦抵抗を調整して、前記展示台支持部材を所定の角度で保持させることを特徴とする展示装置。
【請求項２】
基台上に設立され、基部を除いて円周方向の複数箇所に長切欠が縦方向に設けられることで拡径／縮径自在となる複数本の開閉部材を有し、かつ内外径が変化しない前記基部から上方に向って徐々に径大となる第１の傾斜部と、この第１の傾斜部に続く最大径部を頂部として上端に向って徐々に径小となる第２傾斜部とを有し、前記基部と前記第１の傾斜部とが連続する部位付近の外周に上下方向の所定幅に亘って螺条が設けられた支持筒と、
前記支持筒の前記螺条に螺合される螺条を内周面に有し、かつこの螺条に続いて、上方に向って徐々に径大となる第３の傾斜部と、この第３の傾斜部の上方に続いて内径が変化しない垂直面部と、この垂直面部に続いて上端に向って内径が径小となる第４の傾斜部とを有し、前記両螺条の螺合量に応じて前記開閉部材の第２傾斜部の外周面に対し前記第４の傾斜部を内径方向に抑圧および外径方向に抑圧解除させることによって前記支持筒内に挿通された昇降柱の外周を前記開閉部材によって挟圧保持させる保持／解除筒と、を備え、
前記支持筒内に昇降柱を昇降させた後前記保持／解除筒を締め込むことにより、前記開閉部材に対し前記昇降柱を所定位置で挟圧保持させることを特徴とする展示装置。
【考案の詳細な説明】
【技術分野】
【０００１】
本考案は、商品等の展示や商品説明、価額表示ＰＯＰ等に利用される展示装置に係り、特に、展示台の向きや傾きを調節可能にした展示装置に関する。
【背景技術】
【０００２】
従来の商品の展示装置として、基台に設立された支柱上に商品の展示台を取り付けたものが、種々提案されている。この商品の展示装置では、前記支柱が大径のパイプ材内に小径のパイプ材を昇降自在に収納したものからなり、大径のパイプ材の外からねじ込んだ螺子部材の尖端を、小径パイプ材の外周に突き当てることによって、小径のパイプ材を任意の昇降位置にロックできるようにしている。従って、大径のパイプ材に対する小径のパイプ材の高さ位置、つまり小径のパイプ材に支持された展示台の高さ位置が調節可能となっている（例えば、特許文献１〜４参照）。
【先行技術文献】
【特許文献】
【０００３】
【特許文献１】特開２００６−２０４５４４号公報
【特許文献２】実開昭５２−８６５４８号公報
【特許文献３】実開昭４８−１０４２８７号公報
【特許文献４】実公昭３６−２２５９８号公報
【考案の概要】
【考案が解決しようとする課題】
【０００４】
しかしながら、従来の展示装置にあっては、支柱の高さ調整をするための前記螺子部材の頭部が、大径のパイプ材の表面（外周面）から突出した形態をなし、この螺子部材によって支柱部分のデザイン性が大きく損なわれている。また、前記螺子部材は大径のパイプ材に螺合によって支持されて、先端部を大径のパイプ材内を摺動する小径のパイプ材の外周に突き当てることによって、小径のパイプ材を保持（ロック）するという構成であるため、小径のパイプ材や展示台自体、さらにはこの展示台に載せられる商品等の重量が、前記螺子部材先端による小径のパイプ材の保持力（摩擦力）を超えることがあると、小径のパイプ材が次第に下方にズリ下がってしまう場合があった。かかる現象は、小径パイプの高さ位置調節を繰り返し行うことよって顕著に発生し、遂には小径パイプの保持、つまり展示台を任意の高さ位置に保持することが全くできなくなるという不都合があった。
【０００５】
本考案は、上述した事情に鑑みてなされたものであり、その目的は、支柱部分の周りに螺子部材などの突出部をなくすることにより、支柱付近のデザイン性を向上できるとともに、支柱に損傷を与えることなく、任意にその支柱のその昇降位置を確実に保持することができる展示装置を提供することにある。
【課題を解決するための手段】
【０００６】
前述した目的を達成するために、本考案に係る展示装置は、基台上に設立され、基部を除いて円周方向の複数箇所に長切欠が縦方向に設けられることで拡径／縮径自在となる複数本の開閉部材を有し、かつ内外径が変化しない前記基部から上方に向って徐々に径大となる第１の傾斜部と、この第１の傾斜部に続く最大径部を頂部として上端に向って徐々に径小となる第２傾斜部とを有し、前記基部と前記第１の傾斜部とが連続する部位付近の外周に上下方向の所定幅に亘って螺条が設けられた支持筒と、前記支持筒の前記螺条に螺合される螺条を内周面に有し、かつこの螺条に続いて、上方に向って徐々に径大となる第３の傾斜部と、この第３の傾斜部の上方に続いて内径が変化しない垂直面部と、この垂直面部に続いて上端に向って内径が径小となる第４の傾斜部とを有し、前記両螺条の螺合量に応じて前記開閉部材の第２傾斜部の外周面に対し前記第４の傾斜部を内径方向に抑圧および外径方向に抑圧解除させることによって前記支持筒内に挿通された昇降柱の外周を前記開閉部材によって挟圧保持させる保持／解除筒と、前記昇降柱の上端に螺合される取付螺条部を下端に有し、コイルばねの反力を調節するばね受用螺条部を一端に有するネジ部材と、前記ばね受け用螺条部とこのばね受け用螺条部の外周に下端部が螺合されたばね収納筒と、該ばね収容筒の上端部内周に突設された抜け止め突起と、前記ばね収納部材内に摺動可能に収納されて、前記抜け止め突起との間にボール部材を前記ばね反力に応じた摩擦力でコイルばねを支持するスライドリングと、前記ボール部材の上端に連設されたネジ軸と、
該ネジ軸に下端部が螺合された展示台支持部材と、を備え、前記支持筒内に昇降柱を昇降させた後昇降柱保持／解除筒を締め込むことにより、前記開閉部材に対し前記昇降柱を所定位置で挟圧保持させるとともに、  前記ばね受け用螺条部に対する前記ばね収納筒部材の螺合量を調整することにより、前記抜け止め突起およびスライドリングの前記ボール部材に対する摩擦抵抗を調整して、前記展示台支持部材を所定の角度で保持させることとしている。
【０００７】
この構成により、昇降柱を片手で保持した状態で昇降保持／解除筒を他方の片手で支持筒の廻りに正方向または逆方向に回動操作することで、開閉部材による昇降柱の保持および保持解除を可能にし、昇降柱の支持筒に対する高さと向きを簡単かつ迅速に調節することができる。
【０００８】
また、ばね収納筒のばね受け用螺条部に対する螺合量（螺合深さ）を調節することで、ばね収納筒内のコイルばねの圧縮量（つまり、反発力）を調節できる。従って、コイルばねに支持されたスライドリングの前記ボール部材外周面に対する接触圧力（摩擦抵抗）が調節される。この摩擦抵抗の調節によってボール部材を所定の円周方向位置へ回動させて、その回動させた位置に保持させることができる。従って、このボール部材の一部に連結された前記展示台の方向および傾きを任意に調節でき、同時に展示台上の商品の展示を販売促進に最適となる状態にすることができる。
【０００９】
また、本考案に係る展示装置は、拡径／縮径自在な複数本の開閉部材を上端部に有する支持筒が基台上に設立され、前記開閉部材下部の支持筒外周に、前記支持筒内に挿通された展示台支持用の昇降柱の外周を挟圧保持するように前記開閉部材を開閉させる保持／解除筒が螺合されてなり、前記支持筒内に昇降柱を昇降させた後昇降柱保持／解除筒を締め込むことにより、前記開閉部材に対し前記昇降柱を所定位置で挟圧保持させることを特徴とする。
【考案の効果】
【００１０】
本考案によれば、展示台を支持する支柱部分の周りに螺子部材などの突出部がなくなり、これによって支柱付近のデザイン性を向上させることができるとともに、支柱に損傷を与えることなくその展示台の昇降位置をスムースかつ確実に保持することができる。
【図面の簡単な説明】
【００１１】
【図１】本考案の実施形態による展示装置の全体を示す斜視図である。
【図２】図１における昇降柱の昇降調節部付近を示す縦断面図である。
【図３】図１におけるボール支持部付近を示す縦断面図である。
【考案を実施するための形態】
【００１２】
以下、本考案の実施の形態による展示装置を図面を、参照しながら説明する。図１は、展示装置の全体を示す斜視図、図２は、昇降柱の昇降調節部付近を示す縦断面図、図３は、ボール支持部付近を示す縦断面図である。
【００１３】
本実施形態による展示装置は、基台１と、昇降柱の昇降調節部２と、ボール部材支持部３と、商品の展示台４と、を備えている。これらのうち、基台１は、鉄板などの重量素材を用いて、例えば図示のような扁平なボックス状、或いはカップ状や半球面状に形成されている。この基台は、支柱の上端に展示台４が装着されても、また展示台４上に載せた商品が所定の重量範囲内であれば、容易に倒れることがない重量を持つ。
【００１４】
基台１には、支持筒５の下端が垂直方向に設立されている。この支持筒５は、l硬質の合成樹脂製や金属製のパイプ材からなり、上部は所定長に亘って径小部６とされている。この径小部６には、基部（下部）を除いて円周方向の複数箇所に長切欠７が縦方向に設けられることで、複数本の開閉部材８が成形されている。従って、これらの開閉部材８は基部を支点としてそれぞれ径方向に傾動（開閉）自在となっている。
【００１５】
これらの開閉部材８は、内外径が変化しない（一定の）前記基部９の上部付近から上方に向って徐々に径大となる第１の傾斜部８ａと、この第１の傾斜部８ａに続く最大径部８ｂを頂部として上端に向って徐々に径小となる第２傾斜部８ｃとを有する。また、径小部６の外周、詳しくは基部９と前記第１の傾斜部８ａとが連続する部位付近の外周には、上下方向の所定幅に亘って螺条１０が設けられている。
【００１６】
この螺条１０には、昇降柱１３の保持／解除筒１１の下部内周に設けられた螺条１２が螺合されている。この保持／解除筒１１は外径が全長に亘り一定であるが、内径は螺条１２に続いて、上方に向って徐々に径大となる第３の傾斜部１１ａと、この第３の傾斜部１１ａの上方に続いて内径が変化しない垂直面部１１ｂと、この垂直面部１１ｂに続いて上端部に向って内径が径小方向に変化する第４傾斜部１１ｃとを有する。
【００１７】
なお、図２では、螺条１０に対し螺条１２が深くねじ込まれ、開閉部材８の第２傾斜部８ｃの外周面（外側面）を保持／解除筒１１の第４傾斜部１１ｃが内径方向に抑圧している状況を示している。なお、開閉部材８および保持／解除筒１１は前記昇降調節部２を構成している。
【００１８】
また、支持筒５および開閉部材８内には合成樹脂製や金属製の昇降柱１３が上下移動可能に挿入されている。この昇降柱１３の上端部は所定長に亘って均一径の径大部１３ａとなっている。この径大部１３ａの上端に所定深さのネジ孔１４が形成されている。このネジ孔１４にはボール支持部３の一部を構成するネジ部材１５の取付螺条部１５ａが螺合されている。
【００１９】
ネジ部材１５は軸部１５ｂの一端に前記取付螺条部１５ａを、他端にはばね受け用螺条部１５ｃをそれぞれ一体に形成したものからなる。ばね受け用螺条部１５ｃは取付螺条部１５ａより大径であり、かつこの取付螺条部１５ａに対し、螺子切り方向が逆となる逆ネジとなる関係になっている。螺条形態をなす。なお、取付螺条部１５ａの下端にはドライバなどの治具の先を嵌め込むことができる操作溝１５ｄが刻設されている。このネジ部材１５も合成樹脂製または金属製である。
【００２０】
一方、ネジ部材１５のばね受け用螺条部１５ｃには、ばね収納筒１６の下端部内周に形成された螺条部１６ｂが螺合されている。ばね受用螺条部１５ｃに螺合されたばね収納筒１６内にはコイルばね１７およびスライドリング１８が軸方向に順次重なるように収納されている。スライドリング１８は下面がコイルばね１７の上端に当接する平面となっており、上面は周辺部から中心部に向って略４５度の角度で傾斜するテーパ面１８ａとなっている。
【００２１】
ばね収納筒１６の上端内周縁には中心線方向に向って抜け止め突起縁１６ａが設けられている。この抜け止め突起縁１６ａの内側面と前記スライドリング１８のテーパ面１８ａとの間にボール部材１９が介在されている。
【００２２】
このボール部材１９は、ばね収納筒１６とともにいわゆるユニバーサルジョイント構成をなし、コイルばね１７の反発力をスライドリング１８を介して受け、所定方向および傾き（例えば４５度の角度）内で回動調整可能および回動不可能のいずれかの状態に支持されている。なお、ばね受用螺条部１５ｃ、コイルばね１７およびスライドリング１８はばね収納筒１６とともに前記ボール支持部３を構成している。
【００２３】
ボール部材１９には、ばね収納筒１６から露出する面側に、一本のネジ軸２０が連設されており、このネジ軸２０端に螺条部２０ａが形成されている。この螺条部２０ａには商品の展示台４を支持する支持アーム２１端の螺条部２１ａが螺合されている。
【００２４】
次に、上記構成になる展示装置の組み立ておよび使用の手順を説明する。まず、商品陳列台４の高さ調整を行う。この場合には、昇降柱１３の一部を片手で支え、もう一方の片手で保持／解除筒１１を正転方向または逆転方向に回動操作する。この保持／解除筒１１の回動操作によって螺条部１０、１２の螺合深さを調節できる。ここでは、この回動操作によって保持／解除筒１１を上方に移動させる。
【００２５】
この保持／解除筒１１の移動によって開閉部材８の第２傾斜部８ｃ外周に接してこれを抑圧している保持／解除筒１１の第４傾斜部１１ｃが、この第２傾斜部８ｃの外周面から離れていく。そして、保持／解除筒１１の垂直面部１１ｂが開閉部材８の最大径部８ｂに対向する位置に至る過程では、各開閉部材８は前記抑圧から開放され、基部９付近を支点として外径方向に開く。
【００２６】
このため、これまで第１傾斜部８ａおよび第２傾斜部８ｃの内周面によって挟圧保持されていた昇降柱１３の昇降が自由となる。そこで、この昇降柱１３を前記片手で支持した状態で、所望の高さに位置するように保持／解除筒１１を前記とは逆方向に回動操作する。つまり、螺条部１０、１２の螺合を深めるようにこの保持／解除筒１１を下降させる。
【００２７】
これにより、前記保持／解除筒１１上端の第４傾斜部１１ｃが、開閉部材８の第２傾斜部８ｃを縮径方向に挟圧し、この挟圧力が昇降柱１３の外周に作用する。このため、この昇降柱１３は前記所望の高さに保持される。例えば、商品の展示台４が顧客の目線に入る高さに設定される。
【００２８】
次に、商品の展示台４の方向と傾きを調節する。この場合には、まず、ネジ部材１５の取付螺条部１５ａを、昇降柱１３の径大部１３ａ上端のネジ孔１４から螺合解除する。そして、取付螺条部１５ａ端の操作溝１５ｄにマイナスドライバの先端を嵌め、ネジ部材１５をばね収納筒１６に対して回転操作する。これによりネジ部材１５他端（上端）のばね受用螺条部１５ｃと螺条部１６ｂとの螺合量を調節することができる。
【００２９】
この螺合量の調節によって、コイルばね１７の伸縮量が変化する。コイルばね１７の圧縮量を大きくした場合には、コイルばね１７の反発力が高まり、逆にコイルばね１７の圧縮量を小さくした場合には、コイルばね１７の反発力が弱まる。従って、このコイルばねの反発力の大きさに応じてスライドリング１８および抜け止め突起１６ａに対するボール部材１８の接触面における摩擦抵抗が設定可能になる。
【００３０】
つまり、後述の展示台４およびこの展示台上に載置される商品の重量等に応じた摩擦抵抗で、展示台４を所定の方向（全方位）および傾き（例えば法線に対し４５度の角度の範囲内）にて保持することができる。なお、この商品展示台４の方向や傾きの調整は、ボール部材１９が略真球をなし、スライドリング１８のテーパ部１８ａと抜け止め突起との間で摺動回動可能であるため、前記摩擦抵抗の調整によって任意に行うことができる。
【００３１】
そして、かかる昇降柱１３の昇降操作および保持、コイルばねの反発力調整、展示台４の傾動調整のために、昇降柱１３等の外周面側に突起物が設けられないので、昇降調節部２を含む支柱部形態のデザインがすっきりと収まる。また、昇降柱１３の昇降位置は、従来のようなネジ先端の突き当てによるのではなく、複数本の開閉部材８による昇降柱周面の圧接保持によって、昇降柱１３の外周面に損傷を発生させることなく、スムースに昇降可能にし、確実に所定位置でロックさせることができる。
【００３２】
また、前記コイルばね１７の圧縮量は、展示装置の組み立て完成後、例えば実使用中であっても、ばね収納筒１６を昇降柱１３に対し回動操作することで、任意に調整できる。なお、前記展示装置は商品を展示するものに限らず、商品説明、価格表示ＰＯＰ等の表示などにも広く利用できるものである。
【００３３】
このように、本実施形態の展示装置は、径方向に拡径／縮径自在な複数本の開閉部材８を上端部に有する支持筒５を基台１上に設立し、開閉部材８の下部外周に保持／解除筒１１を螺合し、この螺合量に応じて支持筒５内に挿通された昇降柱１３の外周を挟圧保持するように前記開閉部材8を開閉させ、昇降柱１３の上端外周に螺合される取付螺条部１５ａを下端部に有し、コイルばね１７の反発力を調節するばね受用螺条部１５ｃを上端部に有するネジ部材１５を設け、このばね受け用螺条部１５ｃの外周にばね収納筒１６の下端部を螺合し、このばね収容筒１６の上端部内周に抜け止め突起１６ａを突設し、前記ばね収納筒１６内に、前記抜け止め突起１６ａとの間にボール部材１９をばね反力に応じた摩擦力で前記コイルばね１７を支持するスライドリング１８を摺動可能に収納し、ボール部材１９の上端にネジ軸２０ａを連設し、ネジ軸２０ａに展示台支持部材２１の下端部を螺合して、支持筒５内に昇降柱１３を昇降させた後、保持／解除筒１１を締め込むことにより、開閉部材８に対し昇降柱１３を所定位置で挟圧保持させるとともに、  前記ばね受け用螺条部１５ｃに対するばね収納筒１６の螺合量を調整することにより、抜け止め突起１６ａおよびスライドリング１８のボール部材１９に対する摩擦抵抗を調整して、展示台支持部材２１を所定の角度で保持させる構成としている。
【００３４】
従って、昇降柱１３を片手で保持した状態で保持／解除筒１１を、他方の片手で支持して、この保持／解除筒１１の廻りに正方向または逆方向に回動操作することで、開閉部材８による昇降柱１３の保持および保持解除を可能にし、昇降柱１３の支持筒５に対する高さと向きを調節することができる。
【００３５】
また、ばね収納筒１６のばね受け用螺条部１５ｃに対する螺合量（螺合深さ）を調節することで、ばね収納筒１６内のコイルばね１７の圧縮量（つまり、反発力）を調節できる。従って、コイルばね１７に支持されたスライドリング１８の前記ボール部材１９の外周面に対する接触圧力（摩擦抵抗）が調節される。この摩擦力の調節によってボール部材を所定の円周方向位置へ回動させたり、その回動させた位置に保持させたりすることができる。従って、このボール部材１９に連結された展示台４の方向および傾きを任意に調節でき、同時に展示台４上の商品の展示を販売促進に最適となる状態で使用することができる。
【産業上の利用可能性】
【００３６】
本考案の展示装置は、展示台を支持する支柱部分の周りに螺子部材などの突起物がなくなるため、支柱付近のデザイン性を向上できるとともに、支柱に損傷を与えることなくその昇降位置を確実に保持できるという効果を有し、展示台の向きや傾きを選択して、商品を展示するものや商品説明、価額表示ＰＯＰを表示するもの等に有用である。
【符号の説明】
【００３７】
１…基台、２…昇降調節部、３…ボール支持部、４…商品展示台、５…支持筒
７…切溝、８…開閉部材、９…基部、１０…螺条部、１１…昇降柱保持／解除筒、１２…螺条、１３…昇降柱、１４…ネジ孔、１５…ネジ部材、１５ｃ…ばね受用螺条部、１６…ばね収納筒、１６ａ…抜け止め突起、１６ｂ…螺条部、１７…コイルばね、１８…スライドリング、１９…ボール部材、２０…ネジ軸、２１…支持アーム（展示台支持部材）
【図１】
0003161736.tif 000003
【図２】
0003161736.tif 000004
【図３】
0003161736.tif 000005